(57)【特許請求の範囲】
【請求項１】
高周波信号を発生するマグネトロン本体から外側に伸びている陰極端子と、フェライトコアが挿入されたチョークコイルおよびコンデンサーを有し、前記陰極端子に接続したフィルターとを具備した電子レンジ用マグネトロンにおいて、前記フェライトコアの一端が前記チョークコイルから外に突出し、前記フェライトコアの前記チョークコイルから外に突出する部分の長さが、前記フェライトコアの前記チョークコイル内に挿入されている部分の長さと等しいか、それよりも長いことを特徴とする電子レンジ用マグネトロン。
【発明の詳細な説明】
【０００１】
【発明の属する技術分野】
本発明は、入力部から漏洩するノイズを抑制した電子レンジ用マグネトロンに関する。
【０００２】
【従来の技術】
電子レンジ用マグネトロンは食品の調理や解凍などに使用される電子管で、高周波信号を発生するマグネトロン本体部分および陰極端子やフィルターなどの入力部を収納するフィルターボックス部分などから構成されている。
【０００３】
マグネトロン本体部分は内部が真空に形成され、複数の共振空胴が設けられた陽極円筒およびこの陽極円筒の中心に位置する陰極、陽極円筒と陰極間に放射状に配置された複数のベインなどから構成されている。陰極に電力を供給する陰極端子は、ステムを通してマグネトロン本体の外側に伸び、ノイズを抑制するためのフィルターに接続されている。フィルターはフェライトコアが挿入されたチョークコイルおよびチョークコイルに接続されたコンデンサーなどから構成されている。陰極端子およびフィルターは、マグネトロン本体部分と機械的に連結したフィルターボックス内に収納されている。
【０００４】
ここで、従来の電子レンジ用マグネトロンのフィルターに使用されるチョークコイルについて図４を参照して説明する。
【０００５】
符号４１は金属線を巻いて形成したコイルで、コイル４１内部にフェライトコア４２の一端４２ａが挿入され、フェライトコア４２の他端４２ｂはコイル４１の外側に突出している。図では、フェライトコア４２のコイル４１内への挿入部分を斜線４３で示している。
【０００６】
【発明が解決しようとする課題】
従来の電子レンジ用マグネトロンに使用されるフィルター用のチョークコイルは、上記したようにコイル４１内部にフェライトコア４２が挿入されている。そして、ノイズの抑制特性を調整する場合、たとえばコイル４１に対するフェライトコア２２の挿入長を変化させ、チョークコイルのインダクタンスが制御される。この場合、フェライトコア４２のコイル４１から突出する部分はチョークコイルのインダクタンスの大きさに関係しない。そのため、図４に示すように、コイル４１から突出するフェライトコア４２の突出長Ｂは、コイル４１に挿入される挿入長Ａよりも短くなっている。また、フィルターのノイズの抑制特性を調整する場合、フェライトコア４２の材質を変更する方法なども用いられる。
【０００７】
上記したように、従来の電子レンジ用マグネトロンでは、フィルターによるノイズの抑制特性を調整する場合、フェライトコアの挿入長を変更する方法、あるいは、フェライトコアの材質を変更する方法などが採用されている。しかし、これらの方法では、良好なノイズの抑制特性が得られない場合がある。
【０００８】
本発明は、上記した欠点を解決し、良好なノイズの抑制特性を有する電子レンジ用マグネトロンを提供することを目的とする。
【０００９】
【課題を解決するための手段】
本発明は、高周波信号を発生するマグネトロン本体から外側に伸びている陰極端子と、フェライトコアが挿入されたチョークコイルおよびコンデンサーを有し、前記陰極端子に接続したフィルターとを具備した電子レンジ用マグネトロンにおいて、前記フェライトコアの一端が前記チョークコイルから外に突出し、前記フェライトコアの前記チョークコイルから外に突出する部分の長さが、前記フェライトコアの前記チョークコイル内に挿入されている部分の長さと等しいか、それよりも長いことを特徴とする。
【００１０】
【発明の実施の形態】
本発明の実施形態について図１を参照して説明する。図１は電子レンジ用マグネトロンの入力部を収納するフィルターボックス部分を示した正面図である。
【００１１】
符号１１は箱状のフィルターボックスで、フィルターボックス１１は、たとえばマグネトロン本体（図示せず）と機械的に連結されている。マグネトロン本体は高周波信号を発生する部分でその内部は真空に保たれ、複数の共振空胴をもつ陽極円筒および陽極円筒の中心に位置する陰極、陽極円筒と陰極間に放射状に配置された複数のベインなどから構成されている。
【００１２】
フィルターボックス１１内に、陰極に電力を供給する一対の陰極端子１２１、１２２などが収納されている。陰極端子１２１、１２２はステム１３を貫通してマグネトロン本体の内側から外側へと伸び、チョークコイル１４１、１４２に接続されている。
【００１３】
チョークコイル１４１、１４２は、それぞれ金属線を巻いたコイル１４ａおよびコイル１４ａ内のたとえばその一部に挿入されたフェライトコア１４ｂなどから構成されている。また、チョークコイル１４１、１４２は、フィルターボックス１１を貫通するコンデンサー１５に接続されている。
【００１４】
ここで、上記のチョークコイル１４１、１４２について図２を参照し説明する。図２は、図１に対応する部分に同じ符号を付し重複する説明は一部省略する。
【００１５】
図２では、コイル１４ａに対するフェライトコア１４ｂの挿入部分を斜線２１で示し、その挿入長をＡとした場合に、フェライトコア１４ｂがコイル１４ａから外に突出する突出長Ｃを、挿入長Ａと等しいか、あるいは挿入長Ａよりも大きくしている。
【００１６】
上記した構成によれば、チョークコイル１４１、１４２を構成するフェライトコア１４ｂ全体の容積が大きくなり、ノイズの抑制効果が増大する。
【００１７】
次に、チョークコイルの他の例について図３を参照し説明する。図３は、図１に対応する部分に同じ符号を付し重複する説明は一部省略する。
【００１８】
この例では、コイル１４ａに挿入されている部分のフェライトコア１４ｂの直径をＤとした場合、フェライトコア１４ｂのコイル１４ａから外に突出する部分に、コイル１４ａ内の直径Ｄよりも大きい直径Ｅをもつ径大部３１を設けている。この構成の場合も、フェライトコア１４ｂのコイル１４ａから突出する部分に径大部３１が設けられているため、フェライトコア１４ｂ全体の容積が大きくなり、ノイズの抑制効果が増大する。
【００１９】
なお、コイル１４ａ内よりも直径が大きい径大部３１は、コイル１４ａから突出する部分の全体に形成してもよく、あるいは、コイル１４ａから突出する部分の一部だけに形成することもできる。
【００２０】
上記した構成によれば、フェライトコアのチョークコイルから突出している部分の長さを、フェライトコアがチョークコイルヘ挿入されている長さと同等、もしくはそれ以上の長さとし、あるいは、チョークコイルから外に突出している部分の少なくとも一部領域の直径を大きくしている。この場合、フェライトコアのたとえば突出部の容積が大きくなる。その結果、フェライトコア全体の容積が増大し、マグネトロンの入力部から漏れるノイズの抑制効果が大きくなる。
【００２１】
【発明の効果】
本発明によれば、良好なノイズの抑制効果をもつ電子レンジ用マグネトロンを実現できる。
【図面の簡単な説明】
【図１】本発明の実施形態を説明するための図で、フィルターボックス部分を抜き出した正面図である。
【図２】本発明の実施形態に使用されるチョークコイルの一例を説明するための構造図である。
【図３】本発明の実施形態に使用されるチョークコイルの他の例を説明するための構造図である。
【図４】従来技術に使用されているチョークコイルを説明するための構造図である。
【符号の説明】
１１…フィルターボックス
１２１、１２２…陰極端子
１３…ステム
１４１、１４２…チョークコイル
１４ａ…コイル
１４ｂ…フェライトコア
１５…コンデンサ
２１…コイルに対するフェライトコアの挿入部分
３１…コイルから突出するフェライトコアの径大部
Ａ…コイルに対するフェライトコアの挿入長
Ｃ…コイルから突出するフェライトコアの突出長
Ｄ…コイルに対するフェライトコアの挿入部分の直径
Ｅ…フェライトコアの径大部の直径
【図１】
0003618326.tif 000002
【図２】
0003618326.tif 000003
【図３】
0003618326.tif 000004
【図４】
0003618326.tif 000005